(57)【要約】【課題】使用者の個人認証によって、傘が開くことを制御するようにした傘の個人認証システムを得る。【解決手段】固有の認証ＩＤを記憶している認証ＩＤ保有装置１１が保持機構部１２に装着されると、ハンドル１内に格納されたバッテリー１６によって駆動される制御部１３が、認証ＩＤを読み出し、自身の保有するマスターＩＤと比較して認証が成功した場合には、モーター１４を回転させてギア１５の位置を、はじき３に設けられた突起部が押し込められるように制御し、このはじき３の突起部が使用者により押し込められると、移動可能になった下ろくろ４を中棒２に沿って移動させて傘が開けるようにした。【選択図】図１
2015039513.tif 000002
【特許請求の範囲】
【請求項１】
固有の認証ＩＤを記憶している認証ＩＤ保有装置、
移動することにより傘の開閉を行うように配置された第一の部材、
この第一の部材を固定する突起部を有し、上記突起部が押下されることにより、上記第一の部材の移動を可能にする第二の部材、
この第二の部材の上記突起部の押下を可能にするアンロック位置と上記突起部の押下を不可能にするロック位置とになるように制御される構造物、
この構造物を上記二つの位置のいずれかの位置になるように制御するモーター、
上記認証ＩＤ保有装置に記憶された認証ＩＤを取得し、上記認証ＩＤと自身の保有するマスターＩＤとの比較を行い、比較結果に応じて、上記モーターを制御する制御部、
及びこの制御部を駆動するバッテリーを備えたことを特徴とする傘の個人認証システム。
【請求項２】
上記認証ＩＤ保有装置を保持する保持機構部を備え、
上記制御部は、上記保持機構部に上記認証ＩＤ保有装置が保持されたとき上記認証ＩＤを取得することを特徴とする請求項１記載の傘の個人認証システム。
【請求項３】
無線で通信できるように構成された照合部を備え、
上記認証ＩＤ保有装置は、無線で通信できるように構成され、
上記照合部は、上記認証ＩＤ保有装置との間での無線通信により、上記認証ＩＤ保有装置の保有する認証ＩＤを取得し、この取得した認証ＩＤを上記制御部へ送信することを特徴とする請求項１記載の傘の個人認証システム。
【請求項４】
上記認証ＩＤ保有装置は、傘を開くように指示するアンロック入力と、傘を開かないように指示するロック入力を行えるように構成され、
上記照合部との無線通信により、入力内容を上記認証ＩＤとともに送信し、
上記制御部は、上記認証ＩＤと上記マスターＩＤとの比較で、一致した場合に、上記入力内容に応じて上記モーターを制御することを特徴とする請求項３記載の傘の個人認証システム。
【請求項５】
認証開始を指示するトリガー手段を備え、
上記制御部は、上記トリガー手段の認証開始指示を検出した場合に、保有するマスターＩＤを上記照合部に送り、
上記照合部は、上記制御部から送られた上記マスターＩＤを上記無線通信により上記認証ＩＤ保有装置に送信し、
上記認証ＩＤ保有装置は、上記送信されたマスターＩＤと自身の保有する認証ＩＤを比較し、一致した場合に、上記認証ＩＤを上記照合部へ送信することを特徴とする請求項３記載の傘の個人認証システム。
【請求項６】
上記制御部は、上記トリガー手段の認証開始指示を検出してから、一定期間、上記認証ＩＤ保有装置からの認証ＩＤが送信されない場合には、上記構造物が上記突起部の押下を不可能にするロック位置になるように上記モーターを制御することを特徴とする請求項５記載の傘の個人認証システム。
【請求項７】
音声信号を出力するスピーカーを備え、
上記制御部は、上記認証ＩＤ保有装置から取得した認証ＩＤと自身の保有するマスターＩＤとの比較結果に対応した音声信号を上記スピーカーに出力させることを特徴とする請求項１〜請求項６のいずれか一項記載の傘の個人認証システム。
【請求項８】
表示信号を出力するＬＥＤ表示灯を備え、
上記制御部は、上記認証ＩＤ保有装置から取得した認証ＩＤと自身の保有するマスターＩＤとの比較結果に対応した表示信号を上記ＬＥＤ表示灯に出力させることを特徴とする請求項１〜請求項６のいずれか一項記載の傘の個人認証システム。
【請求項９】
上記構造物は、上記第二の部材の突起部の押下を可能にするアンロック位置に溝が設けられていることを特徴とする請求項１〜請求項８のいずれか一項記載の傘の個人認証システム。
【請求項１０】
上記構造物は、円柱状の構造体と半円柱状の構造体とを有することを特徴とする請求項１〜請求項８のいずれか一項記載の傘の個人認証システム。
【請求項１１】
上記構造物は、スナップ、スナップフィットの構造体及びこの構造体から出し入れされるスリーブからなることを特徴とする請求項１〜請求項８のいずれか一項記載の傘の個人認証システム。
【請求項１２】
上記バッテリーを格納し、使用者が上記傘を保持するためのハンドルを備え、
上記ハンドルは、切れ込み部により二つに分離できるとともに、上記二つに分離された場合に上記バッテリーが交換できるように構成されていることを特徴とする請求項１〜請求項１１のいずれか一項記載の傘の個人認証システム。
【請求項１３】
上記バッテリーを格納し、使用者が上記傘を保持するためのハンドル、
及びこのハンドルに、切れ込み部により分離可能に取り付けられる中棒を備え、
上記ハンドル及び中棒は、上記切れ込み部により互いに分離された場合に上記バッテリーが交換できるように構成されていることを特徴とする請求項１〜請求項１１のいずれか一項記載の傘の個人認証システム。
【発明の詳細な説明】
【技術分野】
【０００１】
この発明は、使用者が所有する傘を認証する傘の個人認証システムに関するものである。
【背景技術】
【０００２】
従来は建屋入り口に傘立てが置いてあるとき、使用者は傘立てに傘を入れてから建屋に入るが、その後、使用者が知らないまま他人が不法にその傘を使用（窃盗）してしまうことがある。
持ち去られる対策として特許文献１には、傘にＩＣタグを装着し、ＩＣタグからの無線通信に基づき、ＩＣタグが通信可能な範囲に存在しない場合に携帯電話機のアラーム機能により報知する方式が記載されている。
また、特許文献２には、傘にアラーム装置（無線受信部、変位センサー、アラーム発生部）を装着し、使用者が所有する携帯端末から無線送信される使用者ＩＤが受信されないまま傘が場所的に移動（変位）している場合は傘が盗難されていると判断し、盗難防止用のアラームをスピーカーから出力するものが記載されている。
【先行技術文献】
【特許文献】
【０００３】
【特許文献１】特開２００４−１３７８９号公報（第３〜６頁、第１図）
【特許文献２】特開２００２−１５３３０８号公報（第３〜４頁、第１図）
【発明の概要】
【発明が解決しようとする課題】
【０００４】
しかしながら、特許文献１のものでは、携帯電話機のアラーム報知を得て、盗難と知るため、盗難にあった後の対応となり、持ち去られるための対策にはならない。
また、特許文献２のアラーム装置では、アラーム装置を傘と紐で装着した場合、簡単に切断されて盗難にあうという問題が生じる。
また、傘の移動（持ち去られた）の判定に変位センサーを用いているが、傘立ての中で風雨等で変位した場合に盗難防止用のアラームが頻繁に発生するという問題が残る。
また、アラーム装置のバッテリーについての記載がなく、バッテリー切れ時の処理にも問題がある。
これらに対処するためには、傘の盗難対策には傘自体で防盗性を高め、継続的に使用できなければならない。
【０００５】
この発明は、上述のような課題を解決するためになされたものであり、使用者の個人認証によって、傘が開くことを制御するようにした傘の個人認証システムを得ることを目的とする。
【課題を解決するための手段】
【０００６】
この発明に係わる傘の個人認証システムにおいては、固有の認証ＩＤを記憶している認証ＩＤ保有装置、移動することにより傘の開閉を行うように配置された第一の部材、この第一の部材を固定する突起部を有し、突起部が押下されることにより、第一の部材の移動を可能にする第二の部材、この第二の部材の突起部の押下を可能にするアンロック位置と突起部の押下を不可能にするロック位置とになるように制御される構造物、この構造物を二つの位置のいずれかの位置になるように制御するモーター、認証ＩＤ保有装置に記憶された認証ＩＤを取得し、認証ＩＤと自身の保有するマスターＩＤとの比較を行い、比較結果に応じて、モーターを制御する制御部、及びこの制御部を駆動するバッテリーを備えたものである。
【発明の効果】
【０００７】
この発明によれば、固有の認証ＩＤを記憶している認証ＩＤ保有装置、移動することにより傘の開閉を行うように配置された第一の部材、この第一の部材を固定する突起部を有し、突起部が押下されることにより、第一の部材の移動を可能にする第二の部材、この第二の部材の突起部の押下を可能にするアンロック位置と突起部の押下を不可能にするロック位置とになるように制御される構造物、この構造物を二つの位置のいずれかの位置になるように制御するモーター、認証ＩＤ保有装置に記憶された認証ＩＤを取得し、認証ＩＤと自身の保有するマスターＩＤとの比較を行い、比較結果に応じて、モーターを制御する制御部、及びこの制御部を駆動するバッテリーを備えたので、認証されない人が傘を開けなくなり、不法な傘の使用を減らすことできる。
【図面の簡単な説明】
【０００８】
【図１】この発明の実施の形態１による傘の個人認証システムを示す構成図である。
【図２】この発明の実施の形態１による傘の個人認証システムの傘のはじきを１つにして下ろくろを移動させることを示す構成図である。
【図３】この発明の実施の形態１による傘の個人認証システムの制御部を示す構成図である。
【図４】この発明の実施の形態１による傘の個人認証システムの認証ＩＤ保有装置が電極と接触していることを示す図である。
【図５】この発明の実施の形態１による傘の個人認証システムのギアを示す断面図である。
【図６】この発明の実施の形態１による傘の個人認証システムのバッテリー、バッテリー保持部、保持機構部、制御部を中棒に設けた例を示す図である。
【図７】この発明の実施の形態１による傘の個人認証システムのバッテリー、バッテリー保持部、保持機構部、制御部をハンドルに設けた例を示す図である。
【０００９】
【図８】この発明の実施の形態２による傘の個人認証システムの中棒内部の構成を示す構成図である。
【図９】この発明の実施の形態２による傘の個人認証システムのギアを示す断面図である。
【図１０】この発明の実施の形態３による傘の個人認証システムの中棒内部の構成を示す構成図である。
【図１１】この発明の実施の形態３による傘の個人認証システムのスナップ、スナップフィット、スリーブを示す断面及び斜視図である。
【図１２】この発明の実施の形態４による傘の個人認証システムを示す構成図である。
【図１３】この発明の実施の形態４による傘の個人認証システムの認証ＩＤ保有装置を示す構成図である。
【図１４】この発明の実施の形態４による傘の個人認証システムの照合部を示す構成図である。
【図１５】この発明の実施の形態４による傘の個人認証システムの制御部を示す構成図である。
【００１０】
【図１６】この発明の実施の形態５による傘の個人認証システムを示す構成図である。
【図１７】この発明の実施の形態５による傘の個人認証システムの認証ＩＤ保有装置を示す構成図である。
【図１８】この発明の実施の形態５による傘の個人認証システムの制御部を示す構成図である。
【図１９】この発明の実施の形態５による傘の個人認証システムの照合部を示す構成図である。
【図２０】この発明の実施の形態６による傘の個人認証システムを示す構成図である。
【図２１】この発明の実施の形態６による傘の個人認証システムの制御部とスピーカーを示す構成図である。
【図２２】この発明の実施の形態６による傘の個人認証システムの制御部とＬＥＤ表示灯を示す構成図である。
【図２３】図２３は、この発明の実施の形態７による傘の個人認証システムのバッテリーの交換方法を説明するための図である。
【図２４】この発明の実施の形態７による傘の個人認証システムのハンドルの分離状態を示す斜視図である。
【発明を実施するための形態】
【００１１】
実施の形態１．
以下、この発明に実施の形態１における傘の個人認証システムを図に基づいて説明する。
図１は、この発明の実施の形態１による傘の個人認証システムを示す構成図である。
図１において、傘の個人認証システムは、傘の構成要素である、ハンドル１、中棒２、はじき３（第二の部材）、下ろくろ４（第一の部材）と、傘の開閉を制御するための構成である、認証ＩＤ保有装置１１と、保持機構部１２と、制御部１３と、モーター１４と、ギア１５（構造物）と、バッテリー１６と、バッテリー保持部１７により構成されている。
図１の例では、バッテリー１６、バッテリー保持部１７、保持機構部１２は、ハンドル１に設けられ、制御部１３、モーター１４、ギア１５は中棒２に設けられている。
【００１２】
ハンドル１は、人が傘を持つために使用する箇所であり、中棒２と接続されている。中棒２は、傘の支柱であり、内部にははじき３が格納されている。下ろくろ４は、中棒２に沿って移動し、傘の開閉を行う。
はじき３には、中棒２の外側に突起部がふたつ存在する。一つは、傘が不用意に開かないように、下ろくろ４を固定する部分。他の一つは、下ろくろ４を動かせるように、はじき３を押し込む部分である。このはじき３を押し込む部分を押すことで、下ろくろ４を固定する部分が下がり、下ろくろ４を移動させることができ、傘を開くことができる。傘を閉める際には、下ろくろ４を移動させ、下ろくろ４を固定する。
ここで、図１のように突起部は一つでも良く、下ろくろ４を固定する部分を直接押すことでも構わない。また、後述する図２の構成であってもよい。
【００１３】
認証ＩＤ保有装置１１は、固有の認証ＩＤが記憶されている。認証ＩＤ保有装置１１として、例えば、ＳＩＭカードや、ＩＣカードのような、チップが用いられる。保持機構部１２は、認証ＩＤ保有装置１１を固定させるための保持部である。
制御部１３は、ＣＰＵ、メモリー、入出力部（Ｉ／Ｏ）で構成され、認証ＩＤの照合、及びモーター１４の制御を行う。バッテリー１６は、制御部１３を駆動させるエネルギーであり、バッテリー保持部１７は、バッテリー１６の＋、−を制御部１３と接続させる。ギア１５は、モーター１４の回転軸に接続されており、モーター１４の回転に応じて回転する。
【００１４】
図２は、この発明の実施の形態１による傘の個人認証システムの傘のはじきを１つにして下ろくろを移動させることを示す構成図である。
図２において、２〜４、１４、１５は図１におけるものと同一のものである。図２では、はじき３の突起部を押して、下ろくろ４を移動させることで、傘を開くことができる。
【００１５】
図３は、この発明の実施の形態１による傘の個人認証システムの制御部を示す構成図である。
図３において、制御部１３は、プログラムにより動作するＣＰＵ１３１と、ＣＰＵ１３１によりアクセスされる、マスターＩＤを記憶したメモリー１３２と、入出力部（Ｉ／Ｏ）により構成され、入出力部に認証ＩＤが入力されると、処理の後、モーター制御が出力される。
【００１６】
図４は、この発明の実施の形態１による傘の個人認証システムの認証ＩＤ保有装置が電極と接触していることを示す図である。
図４において、１１、１２は図１におけるものと同一のものである。保持機構部１２の電極１２１に認証ＩＤ保有装置１１を接触させる。
【００１７】
図５は、この発明の実施の形態１による傘の個人認証システムのギアを示す断面図である。
図５において、２、３、１５は図１におけるものと同一のものである。ギア１５には溝１８が設けられている。
図５（ａ）はギア断面の溝１８を示す図、図５（ｂ）は溝１８にはじき３が挿入された図、図５（ｃ）はギア断面の深い溝１８ａと、浅い溝１８ｂを示す図である。
【００１８】
図６は、この発明の実施の形態１による傘の個人認証システムのバッテリー、バッテリー保持部、保持機構部、制御部を中棒に設けた例を示す図である。
図６において、１〜４、１２〜１７は図１におけるものと同一のものである。図６では、中棒２に、バッテリー１６、バッテリー保持部１７、保持機構部１２、制御部１３を配置している。
【００１９】
図７は、この発明の実施の形態１による傘の個人認証システムのバッテリー、バッテリー保持部、保持機構部、制御部をハンドルに設けた例を示す図である。
図７において、１〜４、１２〜１７は図１におけるものと同一のものである。図７では、ハンドル１に、バッテリー１６、バッテリー保持部１７、保持機構部１２、制御部１３を配置している。
【００２０】
次に、動作について説明する。
認証ＩＤ保有装置１１は、図２のようにハンドル１に設けられている保持機構部１２に設置されると、例えば、図４のように、チップ電極１２１と接続されることで、制御部１３は認証ＩＤ保有装置１１の接続の有無を検出する。
認証ＩＤ保有装置１１の接続を検出した制御部１３は、認証ＩＤ保有装置１１から認証ＩＤを読み取り、この読み取った認証ＩＤと、制御部１３内に予め格納されているマスターＩＤとの比較を行う。読み取られた認証ＩＤがマスターＩＤと同じ場合には、認証成功となる。
【００２１】
認証成功時には、制御部１３から、モーター１４を制御し、例えば、ステッピングモーター制御のように、モーター１４を回転させることで、ギア１５を任意の角度に回転させる。
ギア１５は、図５のような段差のある格子型の溝を持つ構造である。溝の幅ははじき３が入り込む幅であり、深さははじきを下まで押し込める深さである。ギア１５は、初期位置としては、図５（ａ）のように溝１８がはじき３が入りこまない位置（ロック位置）にある。
認証成功時には、図５（ｂ）のように、はじき３が溝１８に対応するようにギア１５を回転させる。このため、認証成功時には、ギア１５を、はじき３を下まで押し込める位置（アンロック位置）にすることができる。
【００２２】
認証失敗時には、ギア１５を回転させないため、はじき３を下まで押し込めることができない。
なお、このギア１５に図５（ｃ）のように浅い溝１８ｂを設けてもよい。この浅い溝１８ｂははじき３が押し込まれた際にこの溝に嵌まるため、ギア１５を誤って回転させることを防ぐことができる。
【００２３】
認証成功した後に、認証ＩＤ保有装置１１を保持機構部１２から外すと、制御部１３は認証ＩＤ保有装置１１の接続無しを検出する。その後、制御部１３はモーター１４を回転させ、溝のない位置または浅い位置までギア１５を回転させる。このため、はじき３を下まで押し込めることができなくなる。
このため、認証ＩＤ保有装置１１が保持機構部１２に接続されていないときや、認証失敗時には、はじき３が下がらないため、下ろくろ４を移動させることができず、傘を開くことができない。
【００２４】
実施の形態１によれば、使用者の個人認証を行ってギアを制御し、はじきの動作を制限させることで、認証ＩＤ保有装置を持った人しか、傘を開くことができず、不法な傘の使用（窃盗）を減らすことができる。
また、傘の認証に係わる機構を傘の構造体内に収納することで、防犯性を高めることができる。
【００２５】
なお、保持機構部１２、制御部１３、バッテリー１６、バッテリー保持部１７は、例えば図６のように、中棒２に設けられていても構わないし、また、図７のように、これらをハンドル１に格納しても良いし、如何なる組み合わせでも構わない。
また、バッテリー１６は、丸型、角型、ボタン電池等の種類を問わない。バッテリー保持部１７もバッテリー１６の形状に応じて変えるため、その種類を問わない。
【００２６】
上述の実施の形態１の説明では、認証ＩＤ保有装置１１はＳＩＭカードやＩＣカードのチップ電極を、保持機構部１２への装着、脱着の際に認証を行うとの説明をしていたが、本発明は必ずしもこれに限定されるものではない。
例えば、認証ＩＤ保有装置１１にＩＣタグ、磁気ＩＣカード等の認証通信ができる機能を備え、誘電導磁界や電波によって、傘に備えたリーダーに接近させて、非接触により認識する手段にしてもよい。
【００２７】
なお、上述では、保持機構部１２に設置された認証ＩＤ保有装置１１から認証ＩＤを読み取って、制御部１３内に格納されているマスターＩＤと比較して認証を行なうように説明したが、保持機構部１２を指紋読み取りセンサー機構部に代え、使用者の指紋を読み取って、認証を行なってもよい。この場合、マスターＩＤは指紋データを電子化して制御部１３内に予め格納しておく。
また指紋認証の代わりに、虹彩、静脈、音声等個人が認識できるものを使用してもかまわない。
【００２８】
実施の形態２．
次に、この発明の実施の形態２における傘の個人認証システムを図に基づいて説明する。
図８は、この発明の実施の形態２による傘の個人認証システムの中棒内部の構成を示す構成図である。
図８において、２〜４、１３〜１５は図１におけるものと同一のものである。図８では、ギア１５の形状が異なる他は図１と同じ構成である。
【００２９】
図９は、この発明の実施の形態２による傘の個人認証システムのギアを示す断面図である。
図９において、２、３は図８におけるものと同一のものである。図９では中棒２の内側に配置されるギア１５は、円柱の構造体１５ａと半円柱の構造体１５ｂから形成されている。
図９（ａ）は初期状態を示す図、図９（ｂ）はギア１５を９０度回転させることで、はじき３を下まで押し込めることができる状態を示す図、図９（ｃ）はＴ字形状のはじき３を示す図である。
【００３０】
次に、動作について説明する。
実施の形態２は、ギア１５の構造を実施の形態１から変化させたものである。
図９（ｂ）に示すように、モーター１４に接続されているギア１５を回転させ、半円柱の構造体１５ｂの位置により、はじき３が押し込められる空間を形成するようになっている。
すなわち、モーター１４の回転軸には図９に示す円柱の構造体１５ａが接続されており、はじき３が押し込められる空間には半円柱の構造体１５ｂが特定の角度に配置される。
円柱の構造体１５ａと半円柱の構造体１５ｂはネジ留め、接着材等に固定され、あるいは一体形成されたものでもよい。
【００３１】
ギア１５は、初期状態としては図９（ａ）のように、はじき３が押し込めない状態にしている。
認証成功時には、モーター１４を可動させて図９（ｂ）のように９０度回転させることで、はじき３を下まで押し込める状態にする。
認証失敗時には、ギア１５を回転させないため、はじき３を下まで押し込めることができない。
【００３２】
なお、はじき３を、図９（ｃ）のように、半円柱の構造体１５ｂの平面部の上面に沿って折り曲げ、Ｔ字形状としてもよい。この折り曲げた部分によって、はじき３が押し込まれた際に半円柱の構造体１５ｂの平面部に沿って当たるため、ギア１５を誤って回転させることを防ぐことができる。
【００３３】
認証成功の後に、認証ＩＤ保有装置１１を保持機構部１２から外すと、制御部１３は認証ＩＤ保有装置１１の接続無しを検出する。その後、制御部１３は、モーター１４を回転させ、はじき３を下まで押し込めない位置までギア１５を回転させる。このため、はじき３を下まで押し込めることができなくなる。
このように、認証ＩＤ保有装置１１の未接続時や認証失敗時には、はじき３が下がらないため、下ろくろ４を移動させることができず、傘を開くことができない。
【００３４】
なお、半円柱の構造体１５ｂの形状、押し込める角度、押し込めない角度は上述の説明に限らない。
【００３５】
実施の形態２によれば、ギアを制御し、はじきの動作を制限させることで、認証ＩＤ保有装置を持った人しか、傘を開くことができず、不法な傘の使用（窃盗）を減らすことできる。
【００３６】
実施の形態３．
次に、この発明の実施の形態３における傘の個人認証システムを図に基づいて説明する。
図１０は、この発明の実施の形態３による傘の個人認証システムの中棒内部の構成を示す構成図である。
図１０において、２〜４、１３、１４は図１におけるものと同一のものである。図１０ではギア１５に代えて、スナップ２０、スリーブ２１、スナップフィット２２からなる構造体が設けられている。他は図１におけるものと同じ構成である。
図１０（ａ）は初期状態ではじきが押し込めない状態を示す図、図１０（ｂ）はスリーブ２１が回転しながらはじきが押し込める位置まで移動した状態を示す図である。
【００３７】
図１１は、この発明の実施の形態３による傘の個人認証システムのスナップ、スナップフィット、スリーブを示す断面及び斜視図である。
図１１において、２、３、２０〜２２は図１０におけるものと同一のものである。スリーブ２１にはラチェット２３が設けられ、スナップ２０にはラチェット２４が設けられている。
図１１（ａ）は円柱状のスナップ２０とスリープ２１及びスナップフィット２２を示す断面図、図１１（ｂ）は円柱状のスナップ２０とスリープ２１及びスナップフィット２２を示す斜視図である。
【００３８】
次に、動作について説明する。
実施の形態３は、実施の形態１、実施の形態２と同様にモーター１４に接続されている構造体にてはじき３を制御する仕組みに関するものである。
図１０に示すように、モーター１４の回転によって、スナップ２０、スナップフィット２２が回転して、スリーブ２１の押し出しを制御して、はじき３が押し込められる空間を形成する構造になっている。
モーター１４の回転軸には、図１１（ｂ）に示す円柱状のスナップ２０、スナップフィット２２が取り付けられており、はじき３が押し込める空間には円柱状のスリーブ２１が特定の位置になるように配置される。
【００３９】
図１１（ａ）に示すように、はじき３が押し込まれなくする構造物としてスリーブ２１が備えられている。スナップ２０はネジ留め、接着材等によって固定され、あるいは一体形成されたものでもよい。
スリーブ２１の外周面にはラチェット２３が形成されている。ラチェット２３は図１１（ｂ）に示した方向に歯型等が形成され、ラチェット２３のピッチは、はじき３が押し込まれる空間内から空間外までの距離が適切な範囲に入るように設定されている。
【００４０】
スリーブ２１の外側にはラチェット２３と歯合して所定の位置に固定されるスナップ２０が装着されている。
スナップ２０の内周面にも、スリーブ２１のラチェット２３に対応するラチェット２４が形成されている。
互いのラチェットは同一の断面形状に形成され、図１１（ｂ）に示した方向に所定のピッチでスライドして移動でき、かつ歯合して所定の位置に固定できるようになっている。
【００４１】
スナップ２０の外側にはラチェット２３と歯合して所定の位置に固定されるスナップフィット２２が形成されている。
スナップフィット２２は、例えば２箇所設けられ、それぞれの先端にはスナップ２０の回転によってスリーブ２１の飛び出しを防止するため、ロック爪が設けられている。
スリーブ２１がスナップフィット２２のロック爪と挟まるため、飛び出ることはなく、はじき３と適切な距離を保つことができる。
【００４２】
スリーブ２１は、初期状態としては図１０（ａ）のように、はじき３が押し込めない位置にある。
認証成功時にモーター１４を回転させて、スナップ２０及びスナップフィット２２が回転し、図１０（ｂ）のように、スリーブ２１は回転しながら、はじき３が押し込める位置まで移動する。このため、認証成功時には、はじき３を下まで押し込めることができる。
認証失敗時には、スナップ２０とスナップフィット２２は回転しないため、スリーブ２１は移動せず、はじき３を下まで押し込めることができない。
【００４３】
認証成功時から、認証ＩＤ保有装置１１を保持機構部１２から外すと、制御部１３は、認証ＩＤ保有装置１１の接続無しを検出する。その後、制御部１３は、モーター１４を逆回転させ、スナップ２０とスナップフィット２２が回転し、スリーブ２１がはじき３を下まで押し込めない位置までスリーブ２１を移動させる。このため、はじき３を下まで押し込めることができなくなる。
このため、認証ＩＤ保有装置１１を保持機構部１２から外したとき、及び認証失敗時には、はじき３が下がらないため、下ろくろ４を移動させることができず、傘を開くことができない。
【００４４】
なお、スナップ２０の形状、スナップフィット２２の個数、形状、スリーブ２１の形状等は上述の説明に限らない。
【００４５】
実施の形態３によれば、スナップ、スナップフィット、スリーブを制御し、はじきの動作を制限させることで、認証ＩＤ保有装置を持った人しか、傘を開くことができず、不法な傘の使用（窃盗）を減らすことできる。
【００４６】
実施の形態４．
次に、この発明の実施の形態４における傘の個人認証システムを図に基づいて説明する。
図１２は、この発明の実施の形態４による傘の個人認証システムを示す構成図である。
図１２において、１〜４、１１、１３〜１７は図１におけるものと同一のものである。図１２では、ハンドル１に照合部１９を設け、認証ＩＤ保有装置１１と無線通信で認証ＩＤの認証を行う。他の構成は図１におけるものと同様な構成である。
【００４７】
図１３は、この発明の実施の形態４による傘の個人認証システムの認証ＩＤ保有装置を示す構成図である。
図１３において、認証ＩＤを保有する認証ＩＤ保有装置１１は、アンテナ１１１と、アンテナ１１１を介して照合部１９と通信を行う通信部１１２と、操作入力が行える操作部１１４と、通信部１１２及び操作部１１４を制御する制御部１１３とから構成されている。
認証ＩＤ保有装置１１の操作部１１４は、はじき３が押し込める状態にするアンロック操作（アンロック入力）と、はじき３が押し込めないロック操作（ロック入力）ができる２つのボタンを備えている。
なお、このボタンは２つ設けてもよいし、１つにして押す時間等にて区別させてもよい。
制御部１１３内には、傘の制御に対応した、例えば、アンロック操作、あるいはロック操作に対応したデータが予め格納されている。また、固有の認証ＩＤが予め保有されている。
【００４８】
図１４は、この発明の実施の形態４による傘の個人認証システムの照合部を示す構成図である。
図１４において、照合部１９は、通信部１９２を有し、アンテナ１９１を介して認証ＩＤ保有装置１１と無線通信するように構成されている。通信部１９２は認証ＩＤ保有装置１１の変調方式に対応した復調機能を有している。
【００４９】
図１５は、この発明の実施の形態４による傘の個人認証システムの制御部を示す構成図である。
図１５において、制御部１３は、ＣＰＵ１３１、メモリー１３２、入出力部（Ｉ／Ｏ）から構成され、入出力部に、認証ＩＤ保有装置１１の操作部１１４のボタンに対応したデータ及び認証ＩＤが入力されると、モーター制御を出力するようになっている。メモリー１３２には、認証ＩＤ保有装置１１の操作部１１４のボタンに対応したデータ及び固有のマスターＩＤが格納されている。
【００５０】
次に、動作について説明する。
実施の形態１では、使用者がＳＩＭカード、ＩＣカード等を用いて認証ＩＤを読み取り、個人認証を行なう場合について述べたが、使用者は個人認証させるにはカードを傘に装着させる煩わしさがあった。そこで、実施の形態４では、使用者による遠隔操作にて個人認証をできるようにした。
【００５１】
使用者が、認証ＩＤ保有装置１１の操作部１１４にある、はじき３が押し込める状態にするアンロック操作と、はじき３が押し込めないロック操作ができる２つのボタンのうちのいずれかのボタンを押す操作を行なうと、制御部１１３は操作部１１４で押されたボタンを検出する。
そして、制御部１１３は、操作部１１４で押されたボタンに対応したデータ、及び、固有の認証ＩＤを通信部１１２へ送る。
【００５２】
通信部１１２は、制御部１１３からのデータを変調し、アンテナ１１１へ送る。変調方式としては、例えば、振幅変調、周波数変調、位相変調方式でもよい。
また、操作部１１４で押されたボタンに対応したデータと固有の認証ＩＤは暗号化、符号化を行なった後に変調してもよい。
その後、操作部１１４で押されたボタンに対応したデータ、及び、固有の認証ＩＤをアンテナ１１１から無線信号として傘の照合部１９に送信される。
【００５３】
照合部１９は、例えば図１４のように、アンテナ１９１と、認証ＩＤ保有装置１１の変調方式に対応した復調機能を保有する通信部１９２とにより構成される。
アンテナ１９１は、無線信号を受信して通信部１９２へ送る。通信部１９２は、操作部１１４で押されたボタンに対応したデータ、及び、固有の認証ＩＤを復調し、制御部１３へ復調データを送る。
ここで、認証ＩＤ保有装置１１にてボタンに対応したデータと固有の認証ＩＤが暗号化、符号化されていた場合には暗号化、符号化を復号してから、制御部１３へ送る。
【００５４】
傘の制御部１３は、図１５のように、ＣＰＵ１３１、メモリー１３２、入出力部（Ｉ／Ｏ）で構成され、メモリー１３２には、予めボタンに対応したデータ、及び、固有のマスターＩＤを格納している。ＣＰＵ１３１は、照合部１９からのデータとメモリー１３２に格納されているデータを比較する。固有の認証ＩＤが予め格納されている固有のマスターＩＤと同じ場合には認証成功となる。
【００５５】
認証成功時に、制御部１３は、照合部１９から送られる復調データが予め格納されているアンロック操作に対応したデータと同じであれば、はじき３が押し込められるギア１５の位置になるようにモーター１４を制御する。ロック操作に対応したデータと同じであれば、はじき３が押し込められないギア１５の位置になるようにモーター１４を制御する。
認証失敗時は、現状のままでモーター制御を行わない。
このように、認証ＩＤ保有装置１１からギア１５の遠隔操作を実現させることができる。
【００５６】
実施の形態４によれば、個人認証させるためにカードを傘に装着する必要がなく、認証ＩＤ保有装置から認証ＩＤが受信され、アンロック信号が認識されることで、はじきを押し込むことができる。
また、認証ＩＤ保有装置から認証ＩＤが受信され、ロック信号が認識されたときは、はじきを押し込めることができなくすることができる。
このため、使用者は認証ＩＤ保有装置を所持していないと傘が開けない状態となり、不法な傘の使用（窃盗）を減らすことできる。
【００５７】
なお、照合部は、中棒に設けられていても構わないし、ハンドルに格納されていても良い。
また、認証ＩＤ保有装置はボタンを押す操作で、認証ＩＤを送信したが、ボタンに代えてタッチパネル等での操作でも構わない。
また、通信手段として無線通信を用いるように説明したが、赤外線通信、音声通信など固有のコードを送信できるものであれば、これに限らない。
【００５８】
実施の形態５．
次に、この発明の実施の形態５における傘の個人認証システムを図に基づいて説明する。
図１６は、この発明の実施の形態５による傘の個人認証システムを示す構成図である。
図１６にいて、１〜４、１１、１３〜１７は図１２におけるものと同一のものである。図１６では、個人認証を動作させるためのトリガースイッチ３０（トリガー手段）が中棒２に設けられている。
【００５９】
図１７は、この発明の実施の形態５による傘の個人認証システムの認証ＩＤ保有装置を示す構成図である。
図１７において、１１１〜１１３は図１３におけるものと同一のものである。図１７では、認証ＩＤを記憶した記憶部１１５が設けられている。
【００６０】
図１８は、この発明の実施の形態５による傘の個人認証システムの制御部を示す構成図である。
図１８において、１３、１３１、１３２は図１５におけるものと同一のものである。図１８では、ＣＰＵ１３１はトリガースイッチ３０が押下されると、照合部１９へマスターＩＤを送るようになっている。
【００６１】
図１９は、この発明の実施の形態５による傘の個人認証システムの照合部を示す構成図である。
図１９において、１９、１９１、１９２は図１４におけるものと同一のものである。図１９では、アンテナ１９１は所定のエリア１９３内に電波が届くように調整されている。
【００６２】
次に、動作について説明する。
実施の形態４は、使用者がボタン等を操作して認証ＩＤ保有装置を用いる個人認証を行なう形態について述べた。しかしながら、使用者は個人認証させるために認証ＩＤ保有装置を操作する煩わしさがあった。
そこで、実施の形態５は、使用者が傘のトリガースイッチ３０を押下するだけで個人認証をできるようにしたスマートキーレス機能についてのものである。
以下に、個人認証を開始させる、例えば図１６に示すようなトリガースイッチ３０を備えている場合について説明する。
【００６３】
使用者は、傘に備わっているトリガースイッチ３０を押す操作を行なうと、制御部１３はトリガースイッチ３０の押下を検出する。
制御部１３は、図１８のように、ＣＰＵ１３１、メモリー１３２、入出力部（Ｉ／Ｏ）で構成され、メモリー１３２には、予め固有のマスターＩＤを格納している。
ＣＰＵ１３１は、トリガースイッチ３０の押下による接点信号を受けて、メモリー１３２に格納されている固有のマスターＩＤを照合部１９へ送る。
【００６４】
照合部１９は、実施の形態４と同様に、アンテナ１９１と、認証ＩＤ保有装置の復調方式に対応した変調機能を保有する通信部１９２とにより構成される。
この通信部１９２は、制御部１３から送られた固有のマスターＩＤを変調し、アンテナ１９１へ送る。変調方式としては、例えば、振幅変調、周波数変調、位相変調方式でもよい。固有のマスターＩＤは暗号化、符号化を行なった後にデータを変調してもよい。
その後、固有のマスターＩＤは、アンテナ１９１を介して無線信号として、認証保有ＩＤ装置１１の通信部１１２へ送信される。
【００６５】
なお、照合部１９のアンテナ１９１から送信する無線信号は、傘から、定められた狭いエリア１９３内のみに届くよう、その無線電力は調整されていることが望ましい。これにより、エリア１９３内に存在する認証ＩＤ保有装置１１だけがこの問い合わせ信号を受信することができ、防犯性が高まる。
【００６６】
認証ＩＤ保有装置１１は、傘の照合部１９から送信された固有のマスターＩＤに対応した無線信号をアンテナ１１１で受信して通信部１１２へ送る。
通信部１１２は、予め決められた復調方式にてマスターＩＤを復調し、制御部１１３へ送る。このとき、認証ＩＤ保有装置１１で受信される固有のマスターＩＤが暗号化、符号化されていた場合には暗号化、符号化を復号してから、制御部１１３へ送る。
【００６７】
記憶部１１５内には予め固有の認証ＩＤが格納されている。制御部１１３は、通信部１１２からの固有のマスターＩＤと、記憶部１１５の固有の認証ＩＤとを比較する。固有のマスターＩＤが予め格納されている固有の認証ＩＤと同じ場合には認証成功となる。
認証成功時は、固有の認証ＩＤを通信部１１２へ送る。認証失敗時は何もしない。
通信部１１２は、固有の認証ＩＤを変調し、アンテナ１１１を介して無線信号として、傘の照合部１９へ送る。
この変調方式としては、例えば、振幅変調、周波数変調、位相変調方式でもよい。固有の認証ＩＤは暗号化、符号化を行なった後にデータを変調してもよい。
【００６８】
傘の照合部１９は、アンテナ１９１を介して、認証ＩＤ保有装置１１の通信部１１２から送信された無線信号を受信して照合部１９内の通信部１９２へ送り、通信部１９２では予め決められた復調方式にて固有の認証ＩＤを復調し、制御部１３へ送る。このとき、認証ＩＤ保有装置１１から受信される固有の認証ＩＤが暗号化、符号化されていた場合には暗号化、符号化を復号してから、制御部１３へ送る。
【００６９】
制御部１３のＣＰＵ１３１は、照合部１９から送られた固有の認証ＩＤと、予め制御部１３内に予め格納されている固有のマスターＩＤとの比較を行ない、同じ場合には認証成功となる。認証成功時に制御部１３は、ギア１５が、はじき３を押し込める位置になるようにモーター１４を制御する。
認証失敗時は、現状のままである。
【００７０】
なお、トリガースイッチ３０を押下してから一定期間中は一定周期に制御部１３が固有のマスターＩＤを照合部１９へ送り、通信部１９２からアンテナ１９１を介して認証ＩＤ保有装置１１の通信部１１２へ固有のマスターＩＤを送信する。
傘の制御部１３にて、一定期間に認証ＩＤ保有装置１１から固有の認証ＩＤが送られて来ない場合、あるいは認証が一定期間失敗した時は、認証ＩＤ保有装置１１が傘の定められたエリア１９３から離脱したと判断し、モーター１４を制御して、はじき３を下まで押し込めないようにギア１５を制御する。
【００７１】
このように、認証ＩＤ保有装置１１を持ち、傘に備えられたトリガースイッチ３０を押下することで、認証ＩＤ保有装置１１と傘が通信を行い、認証されることによって、はじき３が押し込まれるようにギア１５を制御する。
また、トリガースイッチ３０押下後の一定期間後にエリア離脱と判断し、はじき３が押し込まれないようにギア１５を制御させる、スマートキーレス機能を有している。
【００７２】
実施の形態５によれば、個人認証をさせるために、認証ＩＤ保有装置を操作せずに、使用者は傘のトリガースイッチを押し込むだけ、認証ＩＤ保有装置を保持していないとはじきを押し込むことができないようにすることができる。
このため、使用者は認証ＩＤ保有装置を所持していないと傘が開けない状態となり、不法な傘の使用（窃盗）を減らすことできる。
【００７３】
なお、照合部１９、トリガースイッチ３０は、中棒２に設けられていても構わないし、ハンドル１に格納しても良いし、如何なる組み合わせでも構わない。
また、認証動作の開始は、トリガースイッチ３０を押すことで実現したが、タッチパネル等での操作でも構わない。
また、個人認証の開始用のトリガースイッチ３０を無くし、常時固有のマスターＩＤを無線送信させる構成でも構わない。
さらに、認証ＩＤ保有装置として無線通信装置で説明したが、通信手段として、赤外線通信、音声通信など固有のコードを送信できるものであれば、何でもよい。
【００７４】
実施の形態６．
次に、この発明の実施の形態６における傘の個人認証システムを図に基づいて説明する。
図２０は、この発明の実施の形態６による傘の個人認証システムを示す構成図である。
図２０において、１〜４、１１〜１７は図１におけるものと同一のものである。図２０では、ハンドル１内にアラームを出力するスピーカー３２が設けられている。
【００７５】
図２１は、この発明の実施の形態６による傘の個人認証システムの制御部とスピーカーを示す構成図である。
図２１において、３、１３１は図２におけるものと同一のものである。図２１では、メモリー１３２ａにマスターＩＤを記憶し、メモリー１３２ｂに音声信号を記憶する。ＣＰＵ１３１は個人認証結果のディジタル音声信号をメモリー１３２ｂから取り出し、Ｄ／Ａ変換部１３３によりアナログ音声信号にしてスピーカー３２から出力する。
【００７６】
図２２は、この発明の実施の形態６による傘の個人認証システムの制御部とＬＥＤ表示灯を示す構成図である。
図２２において、１３、１３１、１３２ａは図２１におけるものと同一のものである。図２２では、表示信号を格納するメモリー１３２ｃを有し、ＣＰＵ１３１は個人認証結果に対応する表示信号をメモリー１３２ｃから読み出して、ＬＥＤ表示灯３３に出力する。
【００７７】
次に、動作について説明する。
実施の形態１〜実施の形態５においては、使用者が傘を使用時の認証方式や、傘におけるはじきの制御形態について述べた。
しかしながら、使用者は認証が確実に実行できたかどうか分からないという課題が生じる。そこで、実施の形態６では、使用者にスピーカー３２からのアラーム音で認証が実行されたかどうかを識別できるようにした。
【００７８】
傘に設けられた制御部１３は、図２１のように、ＣＰＵ１３１、メモリー１３２ａ、１３２ｂ、入出力部（Ｉ／Ｏ）、Ｄ／Ａ変換部１３３で構成され、認証ＩＤの照合、ディジタル音声信号からアナログ音声信号への変換、及びモーター制御を行う。
制御部１３内のメモリー１３２ｂには予めアラーム音が格納されている。例えば、認証が成功の場合は高い「Ｂｅｅｐ」音が、認証確認が失敗の場合は低い「ブザー」音のディジタル音声信号が格納されている。
あるいはメモリー１３２ｂに予めディジタル音声信号が格納し、認証成功の場合は「認証に成功しました」、失敗した場合は「認証されません」などのディジタル音声信号を格納してもかまわない。
【００７９】
制御部１３にて認証が成功した場合に、モーター１４の制御を行なうと共に、成功に対応した音声信号をＤ／Ａ変換部１３３に送る。失敗した場合も失敗に対応した音声信号をＤ／Ａ変換部１３３に送る。
Ｄ／Ａ変換部１３３は、ディジタル音声信号をアナログ音声信号に変換し、変換された音声信号はアンプを介してスピーカー３２に送られる。これにより、認証結果に応じたアナログ音声信号のアラームがスピーカー３２から出力される。
【００８０】
実施の形態６によれば、実施の形態１〜実施の形態５による効果に加えて、認証結果をアラーム音で確認することにより誤操作がなくなる効果が期待できる。
また、認証失敗時に、ある一定期間アラーム出力すれば、不法な傘の使用（窃盗）を減らせる効果が期待できる。
【００８１】
また、スピーカーの他にも個人認証の結果を通知ができるものであれば、これを採用してもよい。例えば、図２０に示すスピーカー３２を、図２２のＬＥＤ表示灯３３に置き換えてもよい。
この場合、傘に設けられた制御部１３は、図２２のように、ＣＰＵ１３１、メモリー１３２ａ、１３２ｃ、入出力部（Ｉ／Ｏ）で構成され、認証ＩＤの照合、及びモーター制御を行う。
制御部１３のメモリー１３２ｃに、認証が成功の場合は青色、認証確認がＮＧの場合は赤色というディジタル表示信号を音声信号の変わりに格納し、制御部１３にて認証が成功した場合に、モーター制御を行なうと共に、成功に対応した表示信号をＬＥＤ表示灯３３に送る。失敗した場合も失敗に対応した表示信号をＬＥＤ表示灯３３に送る。
これにより、認証結果に対応する色がＬＥＤ表示される。
【００８２】
なお、上述の実施の形態６では、使用者はアラーム音やＬＥＤ表示灯にて認証結果を識別できると説明したが、必ずしもこれに限定されるものではない。
バッテリー低下や、装置の故障に関する通知を使用者に行なってもよい。
また、他にも個人認証の結果を通知できるものであれば、これを採用しても構わない。
【００８３】
実施の形態７．
次に、この発明の実施の形態７における傘の個人認証システムを図に基づいて説明する。
図２３は、この発明の実施の形態７による傘の個人認証システムのバッテリーの交換方法を説明するための図である。
図２３において、２、１３、１６、１７は図１におけるものと同一のものである。
図２３（ａ）はハンドルがハンドルＡ１ａとハンドルＢ１ｂとから構成されている図で、制御部１３は中棒２に配置され、バッテリー１６とバッテリー保持部１７はハンドルＢ１ｂ内に格納される。プラス端子３４はハンドルＢ１ｂに設け、中棒２内に配置された制御部１３と接続される。マイナス端子３５はハンドルＡ１ａに設ける。ハンドルＡ１ａとハンドルＢ１ｂの間には切れ込み部３６が形成され、ハンドルＡ１ａを手動で回すことにより、ハンドルＢ１ｂと分離できる。分離することで、バッテリー１６はマイナス端子３５が外れるようになっている。
【００８４】
図２３（ｂ）はバッテリー１６が中棒２に配置された図で、プラス端子３４は中棒２の奥の制御部１３に接続されるように配置され、マイナス端子３５はハンドル１に設けている。ハンドル１と中棒２の接合部には切れ込み部３６があり、ハンドル１を手動にて回すことで、中棒２とハンドル１が分離できる構造となっている。分離することで、バッテリー１６はマイナス端子３５が外れるようになっている。
【００８５】
図２４は、この発明の実施の形態７による傘の個人認証システムのハンドルの分離状態を示す斜視図である。
図２４において、１ａ、１ｂ、２、３５は図２３におけるものと同一のものである。図２４では、ハンドルＡ１ａにラチェット３７を設け、ハンドルＢ１ｂにラチェット３８を設けている。図２４はハンドルを分離した状態を示している。
【００８６】
次に、動作について説明する。
実施の形態７は、バッテリー１６の交換についてのものである。
通常、バッテリー１６は、制御部１３を駆動するために消耗してしまう。このため、バッテリー１６の消耗時にはバッテリー１６を交換するという新たな課題が生じる。
以下では、バッテリー交換について説明する。
図２３（ａ）のハンドルの構成では、ハンドルには切れ込み部３６が形成されており、ハンドルＡ１ａを手動にて回すことで、ハンドルＢ１ｂと分離できる構造となっている。分離することで、バッテリー１６からマイナス端子３５が外れることになる。
【００８７】
この場合の切れ込み部３６は、図２４に示すように、ハンドルＡ１ａの内側に歯型のラチェット３７が形成され、ハンドルＢ１ｂにはハンドルＡ１ａと歯合して所定の位置に固定される歯型のラチェット３８が形成されている。
また、ハンドルＡ１ａとハンドルＢ１ｂを分離できる構造であれば、他の方法でも構わない。
【００８８】
バッテリー保持部１７が中棒２内に格納される、図２３（ｂ）の構成の場合には、ハンドル１と中棒２との接合部に切れ込み部３６が形成され、ハンドル１を手動で回すことにより、中棒２とハンドル１が分離できる構造となっている。分離することで、バッテリー１６からマイナス端子３５が外れることになる。
【００８９】
バッテリー１６が消耗し、制御部１３が駆動しなくなった場合には、切れ込み部３６で分離し、バッテリー１６を交換し、切れ込み部３６を接続させることで、再度、傘の個人認証システムを動作させることが可能となる。
【００９０】
実施の形態７によれば、ハンドルに、あるいはハンドルと中棒の接合部に切れ込み部を設けて分離可能な構造にすることで、バッテリー切れの際に容易にバッテリーを交換することができる。
【００９１】
バッテリーは非接触充電タイプを用いても構わない。この場合、ハンドルと中棒を開封することがないため、より防犯性能が上がる。
【００９２】
なお、本発明は、その発明の範囲内において、各実施の形態を自由に組み合わせたり、各実施の形態を適宜、変形、省略することが可能である。
【符号の説明】
【００９３】
１  ハンドル、２  中棒、３  はじき、４  下ろくろ、１１  認証ＩＤ保有装置、
１２  保持機構部、１３  制御部、１４  モーター、１５  ギア、１６  バッテリー、
１７  バッテリー保持部、１８  溝、１９  照合部、２０  スナップ、２１  スリーブ、２２  スナップフィット、２３、２４  ラチェット、３０  トリガースイッチ、
３２  スピーカー、３３  ＬＥＤ表示灯、３４  プラス端子、３５  マイナス端子、
３６  切れ込み部、３７、３８  ラチェット、１１１  アンテナ、１１２  通信部、
１１３  制御部、１１４  操作部、１１５  記憶部、１２１  電極、１３１  ＣＰＵ、
１３２  メモリー、１３３  Ｄ／Ａ変換部、１９１  アンテナ、１９２  通信部、
１９３  エリア。
【図３】
2015039513.tif 000003
【図４】
2015039513.tif 000004
【図１３】
2015039513.tif 000005
【図１４】
2015039513.tif 000006
【図１５】
2015039513.tif 000007
【図１７】
2015039513.tif 000008
【図１８】
2015039513.tif 000009
【図１９】
2015039513.tif 000010
【図２１】
2015039513.tif 000011
【図２２】
2015039513.tif 000012
【図２４】
2015039513.tif 000013
【図１】
2015039513.tif 000014
【図２】
2015039513.tif 000015
【図５】
2015039513.tif 000016
【図６】
2015039513.tif 000017
【図７】
2015039513.tif 000018
【図８】
2015039513.tif 000019
【図９】
2015039513.tif 000020
【図１０】
2015039513.tif 000021
【図１１】
2015039513.tif 000022
【図１２】
2015039513.tif 000023
【図１６】
2015039513.tif 000024
【図２０】
2015039513.tif 000025
【図２３】
2015039513.tif 000026
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
固有の認証ＩＤを記憶している認証ＩＤ保有装置、
使用者が保持するためのハンドルとこのハンドルに取り付けられた中棒とを有する傘の開閉を、上記中棒に沿って移動することにより行うように配置された第一の部材、
この第一の部材を固定する突起部を有し、上記突起部が押下されることにより、上記第一の部材の移動を可能にする第二の部材、
この第二の部材の上記突起部の押下を可能にするアンロック位置と上記突起部の押下を不可能にするロック位置とになるように制御される構造物、
この構造物を上記二つの位置のいずれかの位置になるように制御するモーター、
上記認証ＩＤ保有装置に記憶された認証ＩＤを取得し、上記認証ＩＤと自身の保有するマスターＩＤとの比較を行い、比較結果に応じて、上記モーターを制御する制御部、
及びこの制御部を駆動するバッテリーを備え、
上記モーターは上記中棒内に配置され、上記バッテリーは上記ハンドル内に配置されていることを特徴とする傘の個人認証システム。
【請求項２】
上記認証ＩＤ保有装置を保持する保持機構部を備え、
上記制御部は、上記保持機構部に上記認証ＩＤ保有装置が保持されたとき上記認証ＩＤを取得することを特徴とする請求項１記載の傘の個人認証システム。
【請求項３】
無線で通信できるように構成された照合部を備え、
上記認証ＩＤ保有装置は、無線で通信できるように構成され、
上記照合部は、上記認証ＩＤ保有装置との間での無線通信により、上記認証ＩＤ保有装置の保有する認証ＩＤを取得し、この取得した認証ＩＤを上記制御部へ送信することを特徴とする請求項１記載の傘の個人認証システム。
【請求項４】
上記認証ＩＤ保有装置は、傘を開くように指示するアンロック入力と、傘を開かないように指示するロック入力を行えるように構成され、
上記照合部との無線通信により、入力内容を上記認証ＩＤとともに送信し、
上記制御部は、上記認証ＩＤと上記マスターＩＤとの比較で、一致した場合に、上記入力内容に応じて上記モーターを制御することを特徴とする請求項３記載の傘の個人認証システム。
【請求項５】
上記傘に設けられ、操作されることにより認証開始を指示するトリガー手段を備え、
上記制御部は、上記トリガー手段の認証開始指示を検出した場合に、保有するマスターＩＤを上記照合部に送り、
上記照合部は、上記制御部から送られた上記マスターＩＤを暗号化して上記無線通信により上記認証ＩＤ保有装置に送信し、
上記認証ＩＤ保有装置は、上記送信されたマスターＩＤと自身の保有する認証ＩＤを比較し、一致した場合に、上記認証ＩＤを暗号化して上記照合部へ送信することを特徴とする請求項３記載の傘の個人認証システム。
【請求項６】
上記制御部は、上記トリガー手段の認証開始指示を検出してから、一定期間、上記認証ＩＤ保有装置からの認証ＩＤが送信されない場合には、上記構造物が上記突起部の押下を不可能にするロック位置になるように上記モーターを制御することを特徴とする請求項５記載の傘の個人認証システム。
【請求項７】
音声信号を出力するスピーカーを備え、
上記制御部は、上記認証ＩＤ保有装置から取得した認証ＩＤと自身の保有するマスターＩＤとの比較結果に対応した音声信号を上記スピーカーに出力させることを特徴とする請求項１〜請求項６のいずれか一項記載の傘の個人認証システム。
【請求項８】
表示信号を出力するＬＥＤ表示灯を備え、
上記制御部は、上記認証ＩＤ保有装置から取得した認証ＩＤと自身の保有するマスターＩＤとの比較結果に対応した表示信号を上記ＬＥＤ表示灯に出力させることを特徴とする請求項１〜請求項６のいずれか一項記載の傘の個人認証システム。
【請求項９】
上記構造物は、上記第二の部材の突起部の押下を可能にするアンロック位置に溝が設けられていることを特徴とする請求項１〜請求項８のいずれか一項記載の傘の個人認証システム。
【請求項１０】
上記構造物は、円柱状の構造体と半円柱状の構造体とを有することを特徴とする請求項１〜請求項８のいずれか一項記載の傘の個人認証システム。
【請求項１１】
上記構造物は、スナップ、スナップフィットの構造体及びこの構造体から出し入れされるスリーブからなることを特徴とする請求項１〜請求項８のいずれか一項記載の傘の個人認証システム。
【請求項１２】
上記ハンドルは、切れ込み部により二つに分離できるとともに、上記二つに分離された場合に上記バッテリーが交換できるように構成されていることを特徴とする請求項１〜請求項１１のいずれか一項記載の傘の個人認証システム。
【手続補正２】
【補正対象書類名】明細書
【補正対象項目名】０００６
【補正方法】変更
【補正の内容】
【０００６】
この発明に係わる傘の個人認証システムにおいては、固有の認証ＩＤを記憶している認証ＩＤ保有装置、使用者が保持するためのハンドルとこのハンドルに取り付けられた中棒とを有する傘の開閉を、中棒に沿って移動することにより行うように配置された第一の部材、この第一の部材を固定する突起部を有し、突起部が押下されることにより、第一の部材の移動を可能にする第二の部材、この第二の部材の突起部の押下を可能にするアンロック位置と突起部の押下を不可能にするロック位置とになるように制御される構造物、この構造物を二つの位置のいずれかの位置になるように制御するモーター、認証ＩＤ保有装置に記憶された認証ＩＤを取得し、認証ＩＤと自身の保有するマスターＩＤとの比較を行い、比較結果に応じて、モーターを制御する制御部、及びこの制御部を駆動するバッテリーを備え、モーターは中棒内に配置され、バッテリーはハンドル内に配置されているものである。
【手続補正３】
【補正対象書類名】明細書
【補正対象項目名】０００７
【補正方法】変更
【補正の内容】
【０００７】
この発明によれば、固有の認証ＩＤを記憶している認証ＩＤ保有装置、使用者が保持するためのハンドルとこのハンドルに取り付けられた中棒とを有する傘の開閉を、中棒に沿って移動することにより行うように配置された第一の部材、この第一の部材を固定する突起部を有し、突起部が押下されることにより、第一の部材の移動を可能にする第二の部材、この第二の部材の突起部の押下を可能にするアンロック位置と突起部の押下を不可能にするロック位置とになるように制御される構造物、この構造物を二つの位置のいずれかの位置になるように制御するモーター、認証ＩＤ保有装置に記憶された認証ＩＤを取得し、認証ＩＤと自身の保有するマスターＩＤとの比較を行い、比較結果に応じて、モーターを制御する制御部、及びこの制御部を駆動するバッテリーを備え、モーターは中棒内に配置され、バッテリーはハンドル内に配置されているので、認証されない人が傘を開けなくなり、不法な傘の使用を減らすことできる。